(57)【特許請求の範囲】
【請求項１】
ワイヤロープの端部を支柱に固定するための索端金具の固定具であって、
支柱に密接可能な固定プレートと、固定プレートに穿設した挿通孔と、挿通孔と連通して固定プレートに固着した中空固定筒と、中空固定筒内に挿通可能な中空ガイド筒と、中空固定筒への挿通方向と反対方向の中空ガイド筒の開口端部を閉塞する栓材とからなることを特徴とする索端金具の固定具。
【請求項２】
栓材が中空部を有する楔体であって、中空ガイド筒の開口端部より径小の径小部と、中空ガイド筒の開口端部より径大の径大部を有する請求項１記載の索端金具の固定具。
【請求項３】
栓材の中空部に螺子溝を刻設した請求項２記載の索端金具の固定具。
【請求項４】
固定プレートと直交する方向に中空固定筒を固着した請求項１，２又は３記載の索端金具の固定具。
【請求項５】
挿通孔を１又は複数穿設した請求項１，２，３又は４記載の索端金具の固定具。
【請求項６】
中空固定筒と中空ガイド筒を同じ長さとした請求項１，２，３，４又は５記載の索端金具の固定具。
【請求項７】
中空固定筒と中空ガイド筒を３０ｃｍ以上の長さとした請求項１，２，３，４，５又は６記載の索端金具の固定具。
【請求項８】
中空ガイド筒を所定値以上の荷重で破壊されるクラッシャブルゾーンとした請求項１，２，３，４，５，６又は７記載の索端金具の固定具。
【請求項９】
請求項１〜請求項８のいずれかに記載の索端金具の固定具を使用し、
固定プレートに穿設した挿通孔と連通する支柱孔を支柱に穿設するとともに、ワイヤロープを固定するための索端金具の一端部に棒状体を配置し、棒状体を支柱孔と固定プレートの挿通孔に挿通して、固定プレートに固着した中空固定筒内に挿通した中空ガイド筒内に延伸させるとともに、棒状体の開放端部を栓材を介して中空ガイド筒に固定したことを特徴とする索端金具の固定構造。
【請求項１０】
索端金具は、ワイヤロープを固定する金具本体と、金具本体の一端部に固着した棒状体からなる請求項９記載の索端金具の固定構造。
【請求項１１】
索端金具は、楔部材を介してワイヤロープを離脱不能に固定する金具本体と、金具本体の一端部に螺合した棒状体からなる請求項９記載の索端金具の固定構造。
【請求項１２】
棒状体の開放端部に螺子溝を刻設した請求項９，１０又は１１記載の索端金具の固定構造。
【請求項１３】
棒状体の開放端部に刻設した螺子溝に栓材を螺合した請求項１２記載の索端金具の固定構造。
【請求項１４】
棒状体の開放端部を中空ガイド筒及び中空固定筒から露出させた請求項９，１０，１１，１２又は１３記載の索端金具の固定構造。
【請求項１５】
ワイヤロープに掛かる所定値以上の荷重によって、中空固定筒内において栓材を螺合した棒状体を摺動させることにより、索端金具の固定具及び支柱から棒状体を繰り出す請求項９，１０，１１，１２，１３又は１４記載の索端金具の固定構造。
【請求項１６】
ワイヤロープに掛かる所定値以上の荷重によって、栓材が中空固定筒内を摺動することにより、中空固定筒内を摺動する棒状体を支柱から繰り出す請求項９，１０，１１，１２，１３，１４又は１５記載の索端金具の固定構造。
【請求項１７】
中空固定筒内を摺動する棒状体を支柱から繰り出すことにより、ワイヤロープの破断や支柱の変形を防ぐ請求項１５又は１６記載の索端金具の固定構造。
【発明の詳細な説明】
【技術分野】
【０００１】
本発明は、落石防護柵等において、ワイヤロープと支柱を固定するための索端金具の固定具及び索端金具の固定構造に関し、特には、ワイヤロープに所定値以上の荷重が掛かった場合に、ワイヤロープを索端金具とともに摺動させて繰り出すことにより、ワイヤロープの破断，索端金具や支柱の破損や変形を防ぐとともに、落石防護柵等の許容荷重の増加を図って安全性を高めるものである。
【背景技術】
【０００２】
道路や駐車場、各種建築物への傾斜面からの落石を防止する落石防護柵は、弾性域内で働く複数のワイヤロープと適度な剛性、靱性を有する支柱により構成され、落石の衝撃に対してワイヤロープの引張りと支柱の変形によりエネルギーを吸収している。
【０００３】
従来の索端金具はワイヤロープの端部を支柱に固定するものであり、例えば、ワイヤロープの端末部の撚りを緩めてストランドの間に楔塊を介挿してワイヤロープを抜落不能に固定するとともに、一端部に螺合したボルト軸を介して支柱に固定する索端金具が一般的に知られている。即ち、索端金具そのものを支柱に固定している。
【０００４】
また、基端部に締結ダブルナットを螺合したボルト軸の先端を環状部又はフック部に形成してなり、支柱に固定したボルト軸の環状部又はフック部にワイヤロープの端部に付設した巻付グリップを掛けるようにした索端金具も提供されている（特許文献１）。そして、ワイヤロープの端部の処理手段として、円錐状管の大径外側にネジ部を螺設し、前記円錐状管の内側に合致するワイヤーロープを係合できる凹溝部を対向させて縦設したクサビと、前記円錐状管のネジ部に螺合できる縁つきナットとからなる手段も提供されている（特許文献２）。更に、ワイヤロープの端部に付設した巻付グリップを掛け通すヘッド部を支柱に固定したボルト軸に挟持ナットを介して連結する索端金具も提供されている（特許文献３）。
【先行技術文献】
【特許文献】
【０００５】
【特許文献１】実用新案登録第３０２９２８９号
【特許文献２】特開平９−３１８７７号
【特許文献３】実用新案登録第３０４４５６５号
【発明の概要】
【発明が解決しようとする課題】
【０００６】
しかしながら、従来の索端金具はいずれもワイヤロープの端部を固定するとともに、索端金具そのものを支柱に固定する構成であるため、落石発生時には、落石の荷重が直接ワイヤロープに作用することとなり、ワイヤロープや索端金具の許容荷重以上の荷重が作用した場合には、ワイヤロープの破断、索端金具や支柱の破損や変形などが発生することとなり、落石防護柵としての使命を果たすことができない。即ち、従来の索端金具はワイヤロープに、ワイヤロープ自体の許容荷重以上の荷重が作用したり、或いは索端金具自体の許容荷重以上の荷重が作用したりすると、このエネルギーを索端金具が吸収することができず、前記したようなワイヤロープの破断や、索端金具の破損や変形が生じてしまう。
【０００７】
近時は平成２１年７月に富士山富士宮口の駐車場で起きた落石による死亡事故を受けて、落石防護柵の安全性の向上が強く求められている。特に予期しない大きな落石があった場合においても、これらのエネルギーを吸収することができ、少なくとも落石防護柵を突き破ることを防止して、落石を確実に停止させることによる安全性の確保が特に求められている。
【０００８】
一方において、落石防護柵の安全性を高めるために、落石防護柵におけるワイヤロープや索端金具の許容荷重の設計値をむやみに大きくし、許容荷重の大きいワイヤロープや索端金具を使用することは現実性に欠け、又経済効率上も実施が困難である。
【０００９】
そこで、本発明は上記した従来の索端金具及び索端金具の固定構造の問題点を解決するとともに、ワイヤロープや索端金具に所定値以上の荷重が掛かった場合においても、ワイヤロープを索端金具とともに支柱から摺動させて繰り出すことによって、その荷重を吸収し、ワイヤロープの破断、索端金具や支柱の破損や変形を防ぐとともに、ワイヤロープ自体や索端金具自体の許容荷重の制約を超えて落石防護柵等の許容荷重の増加を図って、より高い安全性を実現することのできる索端金具の固定具及び索端金具の固定構造を提供することを目的としている。
【課題を解決するための手段】
【００１０】
本発明はその目的を達成するために、ワイヤロープの端部を支柱に固定するための索端金具の固定具であって、支柱に密接可能な固定プレートと、固定プレートに穿設した挿通孔と、挿通孔と連通して固定プレートに固着した中空固定筒と、中空固定筒内に挿通可能な中空ガイド筒と、中空固定筒への挿通方向と反対方向の中空ガイド筒の開口端部を閉塞する栓材とからなる索端金具の固定具を基本として提供する。
【００１１】
そして、栓材が中空部を有する楔体であって、中空ガイド筒の開口端部より径小の径小部と、中空ガイド筒の開口端部より径大の径大部を有する構成、栓材の中空部に螺子溝を刻設した構成、固定プレートと直交する方向に中空固定筒を固着した構成、挿通孔を１又は複数穿設した構成、中空固定筒と中空ガイド筒を同じ長さとした構成、及び中空固定筒と中空ガイド筒を３０ｃｍ以上の長さとした構成、及び中空ガイド筒を所定値以上の荷重で破壊されるクラッシャブルゾーンとした構成を提供する。
【００１２】
また、上記した構成の索端金具の固定具のいずれかを使用して、固定プレートに穿設した挿通孔と連通する支柱孔を支柱に穿設するとともに、ワイヤロープを固定するための索端金具の一端部に棒状体を配置し、棒状体を支柱孔と固定プレートの挿通孔に挿通して、固定プレートに固着した中空固定筒内に挿通した中空ガイド筒内に延伸させるとともに、棒状体の開放端部を栓材を介して中空ガイド筒に固定した索端金具の固定構造を提供する。
【００１３】
そして、索端金具は、ワイヤロープを固定する金具本体と、金具本体の一端部に固着した棒状体からなる構成、索端金具は、楔部材を介してワイヤロープを離脱不能に固定する金具本体と、金具本体の一端部に螺合した棒状体からなる構成、棒状体の開放端部に螺子溝を刻設した構成、棒状体の開放端部に刻設した螺子溝に栓材を螺合した構成、棒状体の開放端部を中空ガイド筒及び中空固定筒から露出させた構成を提供する。
【００１４】
そして、ワイヤロープに掛かる所定値以上の荷重によって、中空固定筒内において栓材を螺合した棒状体を摺動させることにより、索端金具の固定具及び支柱から棒状体を繰り出す構成、ワイヤロープに掛かる所定値以上の荷重によって、栓材が中空固定筒内を摺動することにより、中空固定筒内を摺動する棒状体を支柱から繰り出す構成、及び中空固定筒内を摺動する棒状体を支柱から繰り出すことにより、ワイヤロープの破断や支柱の変形を防ぐ構成を提供する。
【発明の効果】
【００１５】
上記構成の本発明によれば、索端金具の棒状体を中空固定筒内に中空ガイド筒を介して栓材によって固定することができ、中空ガイド筒を所定値以上の荷重によって破壊されるクラッシャブルゾーンとして構成することにより、落石等によってワイヤロープに掛かる荷重を中空ガイド筒によって吸収することができる。そのため、落石等によってワイヤロープに荷重が掛かった場合は、荷重が中空ガイド筒の強度より小さければ、棒状体は中空ガイド筒に対する栓材の螺合によって中空固定筒内に固定された状態を保ち、落石等を落石防護柵の内方に支えることができる。一方、中空ガイド筒の強度や固定力を超える所定値以上の荷重が作用した場合には、荷重によって中空ガイド筒が破壊されるので、栓材が中空固定筒内を摺動することにより、栓材を螺合したままで棒状体が中空固定筒内を所定長さ摺動して索端金具の固定具及び支柱から繰り出される。このとき、棒状体は所定長さを有して中空ガイド筒を介して中空固定筒の中に延長されているため、所定長さ摺動して索端金具の固定具及び支柱から繰り出されるだけの余裕を有している。
【００１６】
このようにワイヤロープを固定した索端金具の棒状体を索端金具の固定具及び支柱から繰り出すことにより、ワイヤロープの破断，索端金具や支柱の破壊や変形を防ぐことができ、落石等を落石防護柵から飛び出すことなく、保持することができる。また、中空ガイド筒を交換すれば、その他の部材は再使用が可能である。
【図面の簡単な説明】
【００１７】
【図１】本発明にかかる索端金具の固定具の全体斜視図。
【図２】本発明にかかる索端金具の固定具の正面図。
【図３】図２の平面図。
【図４】図２の右側面図。
【図５】図２の左側面図。
【図６】図２の拡大縦断面図。
【図７】本発明にかかる索端金具の固定具の組付説明図。
【図８】金具本体の中央横断面図。
【図９】本発明にかかる索端金具の固定具の使用状態を示す要部平断面図。
【図１０】本発明にかかる索端金具の固定具の使用状態を示す正面図。
【図１１】本発明にかかる索端金具の固定具の使用状態を示す斜視図。
【発明を実施するための形態】
【００１８】
以下図面に基づいて本発明にかかる索端金具の固定具及び索端金具の固定構造の実施形態を説明する。本発明は、従来のようにワイヤロープの端部に固定した索端金具１０を支柱１８に直接固定するのではなく、本発明にかかる索端金具の固定具１を介して索端金具１０を支柱１８に固定することにより、ワイヤロープ１７に所定値以上の荷重が掛かった場合に、索端金具１０そのものを索端金具の固定具１及び支柱１８から摺動させることによって、ワイヤロープ１７の破断，索端金具１０や支柱１８の変形を防ぐことに特徴を有する。
【００１９】
図１は本発明にかかる索端金具の固定具１の全体斜視図、図２は正面図、図３は平面図、図４は右側面図、図５は左側面図、図６は拡大縦断面図、図７は組付説明図である。本発明にかかる索端金具の固定具１は、固定プレート２と、固定プレート２に穿設した挿通孔３と、挿通孔３と連通して固定プレート２に固着した中空固定筒４と、中空固定筒４内に挿通可能な中空ガイド筒５（図７参照）と、中空ガイド筒５の開口端部５ａを閉塞する栓材６（図７参照）とから構成されている。
【００２０】
固定プレート２は所定面積の矩形状のプレートであって、支柱１８の一面に密接可能な平面部２ａを有するとともに、平面部２ａに１又は複数の挿通孔３を穿設している。この挿通孔３と連通して固定プレート２と直交する方向に挿通孔３と同数の中空固定筒４を固定プレート２に溶接等の適宜手段で固着している。図示例では３本の中空固定筒４を固着している。挿通孔３と中空固定筒４の数はワイヤロープを固定する索端金具１０の数によって決定する。また、中空固定筒４の長さは、ワイヤロープに所定値以上の荷重が掛かった場合に、索端金具１０そのものを摺動させて停止させることができる長さであれば特に限定はなく、概ね３０ｃｍから６０ｃｍ程度が適当である。
【００２１】
中空ガイド筒５は、図７に示すように、中空固定筒４と略同じ長さで、かつ、径小に構成され、中空固定筒４内に挿通可能である。この中空ガイド筒５は所定値以上の荷重で破壊されるクラッシャブルゾーンとして構成されている。なお、全体として中空固定筒４内に挿通可能であれば、長手方向において断面形状が変化する形状であってもよい。栓材６は、中空部を有する楔体から構成され、中空ガイド筒５の開口端部５ａより径小の径小部６ａと中空ガイド筒５の開口端部５ａより径大の径大部６ｂを有するとともに、中空部に螺子溝６ｃを刻設している。そして、栓材６によって、中空固定筒４への挿通方向と反対方向の中空ガイド筒５の開口端部５ａを閉塞可能である（図９参照）。
【００２２】
支柱１８は、索端金具１０を直接固定する従来の支柱と同一の構成でよいが、索端金具の固定具１の固定プレート２を密接させる平面状の密接面１８ａと、密接面１８ａに穿設されて、索端金具１０の棒状体１２を挿通する１又は複数の挿通孔１８ｂを有している。図示例では、断面Ｈ型の支柱１８を使用した。
【００２３】
索端金具１０は、落石防護柵において、ワイヤロープ１７を端末支柱等の支柱１８に固定するための金具である。なお、本発明におけるワイヤロープ１７は、ＰＣ鋼線その他のワイヤロープとして使用可能な索状体全般を含むものである。索端金具１０は、ワイヤロープ１７の端末部の撚りを緩めてストランドの間に介挿させる楔部材１３と、楔部材１３を抜落不能に収納する中空部１１ａを一端部に有する金具本体１１と、金具本体１１の他端部に形成した螺子孔１１ｂに螺合したボルト軸からなる棒状体１２から構成されている。なお、金具本体１１の中央部には操作用の窓部１１ｃが開口形成されている。
【００２４】
棒状体１２は、中空固定筒４の長手方向における索端金具の固定具１より長い所定長さを有し、両端部に相互に逆方向の螺子溝１２ａ，１２ｂが刻設されており、一端部が金具本体１１の螺子孔１１ｂにナット１４，１５を介して、金具本体１１を挟持するように螺合可能であるとともに、他端部は索端金具の固定具１における栓材６の中空部に刻設された螺子溝６ｃを螺合可能に構成されている。
【００２５】
次に、上記構成の索端金具の固定具１を使用した索端金具１０の固定方法を図９に基づいて説明する。先ず、落石防護柵等において、支柱１８と固定するためのワイヤロープ１７の端末部の撚りを緩めてストランドの間に楔部材１３を介在させる。そして、この楔部材１３によって、ワイヤロープ１７を金具本体１１の一端部に形成した中空部１１ａ内に抜落不能に収納して固定する。一方、金具本体１１の他端部の螺子孔１１ｂに棒状体１２の螺子溝１２ａを螺合させ、螺子孔１１ｂの両端をナット１４，１５で固定する。
【００２６】
次に、金具本体１１に螺合した棒状体１２を支柱１８の挿通孔１８ｂ及び支柱１８の密接面１８ａに密接させた固定プレート２の挿通孔３を介して中空固定筒４内に挿通して延伸させる。そして、中空固定筒４内の棒状体１２の外周にクラッシャブルゾーンとしての中空ガイド筒５を挿通させて、一端部を固定プレート２に当接させる。よって、中空固定筒４内の棒状体１２は中空ガイド筒５によって、その外周面が被覆されている。この状態において、棒状体１２の端部に刻設された螺子溝１２ｂに楔体から構成した栓材６の中空部に刻設した螺子溝６ｃを螺合させることにより、栓材６の径小部６ａを中空ガイド筒５に進入させるとともに、径大部６ｂを中空ガイド筒５の開口端部５ａに係止させる。この径大部６ｂは中空固定筒４の直径よりも径小に構成されているため、栓材６は中空ガイド筒５の強度や固定力を超える力によって中空固定筒４内を摺動可能である。これにより、ワイヤロープ１７を固定した索端金具１０の棒状体１２は、図９に示すように、索端金具の固定具１によって支柱１８に固定される。図１０，図１１は、落石防護柵２０のワイヤロープ１７と支柱１８を固定するための索端金具１０を索端金具の固定具１によって固定した使用状態を示す正面図及び斜視図である。
【００２７】
上記使用状態において、落石等によってワイヤロープ１７に荷重が掛かった場合は、荷重が中空ガイド筒５の強度や固定力より小さい荷重であれば、棒状体１２は栓材６によって中空ガイド筒５の開口端部５ａに固定された状態を保つことにより、ワイヤロープ１７を支柱１８に固定した状態を保ち、落石等を落石防護柵２０の内方に支えることができる。一方、ワイヤロープ１７に中空ガイド筒５の強度や固定力の許容荷重を超える所定値以上の荷重が作用した場合には、ワイヤロープ１７が切断されたり、索端金具１０や楔部材１３が破壊される前に、棒状体１２は栓材６による中空ガイド筒５への固定に抗して、クラッシャブルゾーンとしての中空ガイド筒５を栓材６によって破壊することにより、棒状体１２が中空固定筒４内で矢印Ｘ方向（図９参照）に繰り出される。このとき、棒状体１２は、３０ｃｍ以上の長さを有する中空ガイド筒５よりも長いため、所定長さ摺動して中空固定筒４及び支柱１８から繰り出されるだけの余裕を有している。このように棒状体１２を索端金具の固定具１及び支柱１８から繰り出すことにより、索端金具１０及びワイヤロープ１７の破断や支柱１８の変形を防ぐことができる。
【００２８】
このとき、肝要なことは栓材６に対する中空ガイド筒５の許容荷重（固定力）が索端金具１０及びワイヤロープ１７自体の許容荷重並びに棒状体１２に対する栓材６の固定力より小さくなるように設計しておく。即ち、中空ガイド筒５の許容荷重（固定力）＜ワイヤロープ１７，索端金具１０又は栓材６の許容荷重の状態としておくことである。これにより、落石等によって所定値以上の荷重がワイヤロープ１７に作用すると、ワイヤロープ１７，索端金具１０や栓材６の許容荷重以上の荷重が掛かる前に、中空ガイド筒５の許容荷重（固定力）以上の荷重が掛かることとなり、その場合にはクラッシャブルゾーンとしての中空ガイド筒５が破壊され、棒状体１２は栓材６による中空ガイド筒５への固定に抗して中空固定筒４内を摺動し、中空固定筒４及び支柱１８から繰り出されることとなって、ワイヤロープ１７が切断されたり、索端金具１０が破壊されたり、所定値以上の荷重が支柱１８に直接作用して、支柱が変形したり、倒壊することを防ぐことができる。
【００２９】
具体的には、中空ガイド筒５の許容荷重（固定力）を５０ｋｊ程度の運動エネルギーに設定しておくとよい。よって、ワイヤロープ１７に５０ｋｊ以上の運動エネルギーの荷重が掛かると、クラッシャブルゾーンとしての中空ガイド筒５が破壊され、棒状体１２は栓材６による中空ガイド筒への固定に抗して中空固定筒４内において摺動を始める。なお、中空ガイド筒５の許容荷重（固定力）は目的やワイヤロープ１７自体の許容荷重に応じて自由に設定すればよい。また、ワイヤロープ１７に掛かる荷重が中空ガイド筒５による栓材６の固定力より小さければ、棒状体１２は中空固定筒４から繰り出されることなく、ワイヤロープ１７は支柱１８に固定された状態を保って、落石防護柵の内方に荷重の原因となった落石等を支えることができる。
【実施例】
【００３０】
実施例として、本発明にかかる索端金具の固定具１を使用してワイヤロープ１７を高さ方向に等間隔で５本配置するとともに金網を敷設し、高さ１．５ｍ、長さ９ｍの落石防護柵２０を製造した。また、従来例としてワイヤロープの索端を固定する従来の索端金具を使用して実施例と同様の落石防護柵を製造した。これらの落石防護柵について、質量２トンの球状のコンクリート塊を速度１０ｍ／秒（３６ｋｍ／時間）、運動エネルギー１００ｋｊの条件で衝突させる実験を行った。一般に落石防護柵の吸収可能エネルギーは５５ｋｊとされているので、実験した衝突エネルギーはおよそその２倍となる。
【００３１】
従来の索端金具を使用した落石防護柵では、索端金具が変形し、ワイヤロープが索端金具から外れ、或いはワイヤロープが破断し、コンクリート塊が落石防護柵から飛び出してしまい、落石防護柵として機能しなかった。これに対して、本発明にかかる索端金具の固定具１を使用した落石防護柵２０では、索端金具１０の形状に変化はなく、棒状体１２が僅かに繰り出しており、コンクリート塊を停止させることができた。これは索端金具の固定具１によって、ワイヤロープにかかる荷重を制御して調節することにより、許容荷重以上の荷重がワイヤロープ１７及び索端金具１０に掛からないようにしたためである。
【産業上の利用可能性】
【００３２】
上記構成の本発明によれば、索端金具の棒状体を中空固定筒内に中空ガイド筒を介して栓材によって固定することができ、中空ガイド筒を所定値以上の荷重によって破壊されるクラッシャブルゾーンとして構成することにより、落石等によってワイヤロープに掛かる荷重を中空ガイド筒によって吸収することができる。そのため、落石等によってワイヤロープに荷重が掛かった場合は、荷重が中空ガイド筒の強度より小さければ、棒状体は中空ガイド筒に対する栓材の螺合によって中空固定筒内に固定された状態を保ち、落石等を落石防護柵の内方に支えることができる。一方、中空ガイド筒の強度や固定力を超える所定値以上の荷重が作用した場合には、荷重によって中空ガイド筒が破壊されるので、栓材が中空固定筒内を摺動することにより、栓材を螺合したままで棒状体が中空固定筒内を所定長さ摺動して索端金具の固定具及び支柱から繰り出される。このとき、棒状体は所定長さを有して中空ガイド筒を介して中空固定筒の中に延長されているため、所定長さ摺動して索端金具の固定具及び支柱から繰り出されるだけの余裕を有している。
【００３３】
このようにワイヤロープを固定した索端金具の棒状体を索端金具の固定具及び支柱から繰り出すことにより、ワイヤロープの破断，索端金具や支柱の破壊や変形を防ぐことができ、落石等を落石防護柵から飛び出すことなく、保持することができる。また、中空ガイド筒を交換すれば、その他の部材は再使用が可能である。
【符号の説明】
【００３４】
１…索端金具の固定具
２…固定プレート
３，１８ｂ…挿通孔
４…中空固定筒
５…中空ガイド筒
５ａ…開口端部
６…栓材
６ａ…径小部
６ｂ…径大部
６ｃ…螺子溝
１０…索端金具
１１…金具本体
１１ａ…中空部
１１ｂ…螺子孔
１１ｃ…窓部
１１…金具本体
１２…棒状体
１２ａ，１２ｂ…螺子溝
１３…楔部材
１４，１５…ナット
１７…ワイヤロープ
１８…支柱
１８ａ…密接面
２０…落石防護柵
【図１】
0005451825.tif 000002
【図２】
0005451825.tif 000003
【図３】
0005451825.tif 000004
【図４】
0005451825.tif 000005
【図５】
0005451825.tif 000006
【図６】
0005451825.tif 000007
【図７】
0005451825.tif 000008
【図８】
0005451825.tif 000009
【図９】
0005451825.tif 000010
【図１０】
0005451825.tif 000011
【図１１】
0005451825.tif 000012